(57)【特許請求の範囲】
【請求項１】
四足動物の背部を覆う背部身頃と、
前記四足動物の胸部を覆う胸部身頃と、
前記背部身頃と胸部身頃との間に配置され、四足動物の臀部を覆う尻当て部と、
前記背部身頃において、四足動物の頸側に配置され、四足動物の背部から胸部に向けて湾曲しており、弾性力を備えたワイヤーと、
前記胸部身頃の側方に配置され、四足動物の前肢と後肢の間から背部に巻きまわされる巻回し部と、
前記巻回し部を背部身頃に取り付けまたは巻きまわすための接続部と、
を備え、
前記四足動物の背部によって前記ワイヤーが外側に開くことができる動物用衣服。
【請求項２】
前記ワイヤーが四足動物の背部から胸部に向かって湾曲している請求項１の動物用衣服。
【請求項３】
前記ワイヤーの両端部の近傍が外側または内側に向けて折り曲げられている請求項２の動物用衣服。
【請求項４】
前記胸部身頃が四足動物の下方に向けて膨らんだ形状である請求項１から３のいずれかの動物用衣服。
【請求項５】
前記背部身頃に生地を取り付ける取り付け部を備えた請求項１から４のいずれかの動物用衣服。
【発明の詳細な説明】
【技術分野】
【０００１】
本発明は、犬や猫などの四足動物に適した動物用衣服に関するものである。
【背景技術】
【０００２】
従来、犬や猫などの四足動物が着用する衣服が開発され、販売されている。たとえば下記の特許文献１の動物用衣服は、一枚仕立ての生地の端部を首および胴の下方から上方に回し、生地の端部同士を固定している。
【０００３】
しかし、生地を四足動物の下方に配置した後、生地の端部を上方に回す必要があり、動物用衣服を着せるのが難しい。四足動物が動き回ると着せるのがさらに難しくなる。また、特許文献１の動物用衣服は一枚仕立てであるため、四足動物に圧迫感を与える恐れがある。
【先行技術文献】
【特許文献】
【０００４】
【特許文献１】実用新案登録第３１９７９１９号
【発明の概要】
【発明が解決しようとする課題】
【０００５】
本発明の目的は、四足動物に容易に着用させることができ、圧迫感を与えにくい動物用衣服を提供することにある。
【課題を解決するための手段】
【０００６】
本発明の動物用衣服は、背部身頃、胸部身頃、背部身頃と胸部身頃との間に配置された尻当て部と、背部身頃のワイヤーとを備える。背部身頃は背部を覆い、胸部身頃は胸部を覆い、尻当て部は臀部を覆う。ワイヤーは背部身頃における四足動物の頸側に配置されている。
【発明の効果】
【０００７】
本発明によると、背部身頃を背部に置いた状態で胸部身頃を胸部の下方に配置し、四足動物に動物用衣服を着せることができる。従来のように胸部から動物用衣服を着せることにはならず、動物用衣服を着せやすくなっている。動物用衣服は少なくともワイヤーによって背部身頃が四足動物の体に合わせた立体形状に維持しやすくなっており、四足動物の背部に背部身頃を置きやすくなり、四足動物に動物用衣服を着せやすくなっている。四足動物の体形に合わせた立体的形状になっており、四足動物への圧迫感を小さくでき、快適に着させることができる。
【図面の簡単な説明】
【０００８】
【図１】本発明の動物用衣服を動物に着用し、側方から見た図である。
【図２】本発明の動物用衣服を展開したときの内側を示す図である。
【図３】本発明の動物用衣服を展開したときの外側を示す図である。
【図４】本発明の動物用衣服を構成する布ごとに分解した図である。
【図５】本発明の動物用衣服を上方から見た図である。
【発明を実施するための形態】
【０００９】
本発明の動物用衣服について図面を使用して説明する。動物用衣服は犬や猫などの四足動物に着せる衣服である。
【００１０】
図１、２、３に示す本発明の動物用衣服１０は、四足動物１２の背部１４を覆う背部身頃１６、四足動物１２の胸部１８を覆う胸部身頃２０、四足動物１２の臀部２２を覆う尻当て部２４、および背部身頃１６に設けたワイヤー２６を備える。
【００１１】
背部身頃１６、胸部身頃２０、および尻当て部２４は布によって構成される。布の種類としては、織物、編み物または不織布のいずれであっても良い。織物は、ブロード、モスリン、キャラコ、ちりめん、ジョーゼット、ギンガム、トロピカル、銘仙、羽二重、サージ、デニム、ギャバジン、カシミア、ツイル、サテン、ドスキンなどが挙げられる。編み物は、平編、ゴム編、パール編、トリコット、ラッセル、ミラニーズが挙げられる。
【００１２】
布を構成する繊維は、綿、麻、毛、絹、レーヨン、ポリノジック、キュプラ、アセテート、ポリエステル、アクリル、ナイロン、ビニロン、ポリプロピレン、ポリ塩化ビニール、ポリウレタンなどが挙げられる。
【００１３】
背部身頃１６、胸部身頃２０および尻当て部２４は、それぞれ複数の布によって構成される。複数の布を縫製または接着し、一着の動物用衣服１０にすることができる。たとえば図４に示すように、背部身頃１６を形成するために、３枚の背部身頃用の布１７ａ、１７ｂ、１７ｃを使用する。矢印ａ、ｂ、ｃで示すように各布１７ａ、１７ｂ、１７ｃの端同士を縫製等することで背部身頃１６になる。胸部身頃２０を形成するために２枚の胸部身頃用の布２１ａ、２１ｂを使用する。矢印ｄ、ｅで示すように布２１ａ、２１ｂの端同士を縫製等することで胸部身頃２０になる。尻当て部２４を形成するために１枚の布２５を使用している。背部身頃１６と尻当て部２４の端同士、胸部身頃２０と尻当て部２４の端同士を縫製等することで一着の動物用衣服１０になる。背部身頃１６、胸部身頃２０、および尻当て部２４ごとに布の種類を異ならせても良い。
【００１４】
背部身頃１６は四足動物１２の背部１４を覆うために、四足動物１２の背部１４の形状に合わせた立体的形状になっており、たとえば尻当て部２４側を閉じたトンネル形状になっている。背部身頃１６を立体形状にするために、図４に示すような３枚の背部身頃用の布１７ａ、１７ｂ、１７ｃによって構成している。２枚の布１７ａ、１７ｂの幅を布２５に近くなるほど狭く、かつ布１７ａ、１７ｂ同士を縫合（または接着）する部分を曲線状に形成することで、上述したような立体的形状になるように縫製等することができる。四足動物１２の種類および大きさに応じて背部身頃１６の形状や大きさを変更しても良い。複数の布を縫製することで立体的形状にすることができる。
【００１５】
胸部身頃２０は、四足動物１２の胸部１８を覆う。図４に示すように胸部身頃用の布２１ａ、２１ｂは２枚であり、縫製等される端２１ｃは曲線的な凸になっている。矢印ｄ、ｅで示すように布２１ａ、２１ｂの端２１ｃ同士を縫製等すると、胸部身頃２０は四足動物１２の下方に膨らませた立体的形状になる。雄の四足動物１２の膨出部を圧迫させることが無い。四足動物１２の膨出部の位置によって縫製等される端２１ｃの凸の位置や形状を変更しても良い。雌の四足動物１２の胸部身頃２０は１枚の布で構成し、胸部身頃２０を立体的形状にしないことも可能である。
【００１６】
図２、３に示すように、胸部身頃２０の側方に、四足動物１２の背部１４に巻きまわされる巻回し部２８を備える。巻回し部２８は四足動物１２の前肢４２と後肢４０の間から背部１４に巻きまわされる。巻回し部２８は胸部身頃２０と一体になっていても良く、胸部身頃２０を形成する布２１ａ、２１ｂと一体的に構成されても良い。巻回し部２８は略平面状になっており、四足動物１２の背部１４を覆うことができる。巻回し部２８を巻きまわしたとき、巻回し部２８の一部が背部身頃１６の一部の上に重なっても良い。
【００１７】
巻回し部２８における胸部身頃２０の反対側の端部に接続部３０ａ、３０ｂを備える。接続部３０ａ、３０ｂはホック、面ファスナーまたはボタンなどである。巻回し部２８を背部１４の上方に巻回し、接続部３０ａ、３０ｂ同士を固定する（図５）。巻回し部２８が背部１４に取り付けられる。なお、図２、図３における接続部３０ａ、３０ｂはホックであり、符号３０ａが雄側ホック、符号３０ｂが雌側ホックである。
【００１８】
接続部３０ａ、３０ｂは巻回し部２８による背部１４および胸部１８の締め付け調整構造を備えても良い。締め付け調整構造として、たとえば図３のように、巻回し部２８の端から異なる距離に接続部（雌側ホック）３０ｂを設ける。複数の接続部（雌側ホック）３０ｂが有り、使用する接続部（雌側ホック）３０ｂによって、巻回し部２８が巻きまわされる長さが異なる。四足動物１２の大きさに応じて使用する接続部（雌側ホック）３０ｂを変更し、四足動物１２の体形に合わせて巻回し部２８を巻きまわす。四足動物１２の大きさによって巻回し部２８による締め付けがきつすぎたり、ゆるすぎたりすることを防止する。
【００１９】
上記の締め付け調整構造は接続部３０ａ、３０ｂにホックを使用した場合であり、ボタンであれば複数のボタンを用いることで締め付け調整構造になる。また、面ファスナーの面積を広くし、面ファスナーを止める位置を異ならせることで締め付け調整構造になる。
【００２０】
尻当て部２４は背部身頃１６と胸部身頃２０の間の部分である。尻当て部２４は四足動物１２の臀部２２の形状に合わせて立体的形状にしても良い。尻当て部２４によって、動物用衣服１０がマチありの立体的構造の衣類になっている。
【００２１】
また尻当て部２４は、図２のように四足動物１２側に当て布３６を設けても良い。当て布３６によって四足動物１２の排泄物を吸収したりできるようにする。当て布３６はボタン等で尻当て部２４に取り付けられるようにしても良い。レーヨンなどの繊維で作られた吸湿性の良い布を使用するのが好ましい。
【００２２】
図３に示すように、四足動物１２の尾３２を通すための穴３４が背部身頃１６における尻当て部２４の付近に開けられている。この穴３４は、四足動物１２の体形に応じて背部身頃１６と尻当て部２４の境界または尻当て部２４のいずれかに開けられても良い。
【００２３】
ワイヤー２６は、背部身頃１６における四足動物１２の頸側３８の端部に配置される。ワイヤー２６は背部身頃１６の中に収納されても良いし、外部に配置されても良い。ワイヤー２６は１本でも良いし、複数本でもよい。ワイヤー２６は金属または樹脂である。金属であればニッケルチタン合金に熱処理を施した形状記憶合金が挙げられる。樹脂であればポリエチレンテレフタレートが挙げられる。
【００２４】
ワイヤー２６は四足動物１２の背部１４から胸部１８に向けて湾曲しており、略Ｕ字形状になっている。ワイヤー２６がその形状を維持することによって、ワイヤー２６によって背部身頃１６の形状を維持しやすく、四足動物１２の背部１４に背部身頃１６を置きやすくなっている。
【００２５】
またワイヤー２６は弾力性を備えており、ワイヤー２６の形状よりも四足動物１２の背部１４が大きければ、ワイヤー２６が外側に開くことができる。四足動物１２の背部１４の形状に合わせてワイヤー２６の形状を決定し、四足動物１２の背部１４を締め付けすぎないようにする。
【００２６】
ワイヤー２６の両端部の近傍は折り曲げられても良い。図２のように外側に向けて折り曲げられれば、四足動物１２の胸部１８などにワイヤー２６が引っかからず、四足動物１２に対する着心地を良くできる。また、ワイヤー２６を内側に向けて折り曲げれば、ワイヤー２６が四足動物１２の背部１４から外れにくくなり、背部身頃１６が四足動物１２の背部１４から外れにくくなる。ワイヤー２６をいずれの方向に曲げるかは、使用する四足動物１２によって適宜変更しても良い。
【００２７】
次に、動物用衣服１０の着用方法を説明する。（１）尻当て部２４の穴３４に四足動物１２の尾３２を通し、背部身頃１６を四足動物１２の背部１４にのせる。
【００２８】
（２）胸部身頃２０を四足動物１２の後肢４０の間から胸部１８の下方に持っていき、さらに巻回し部２８の端を前肢４２と後肢４０の間に持っていく。
【００２９】
（３）巻回し部２８の端を四足動物１２の背部１４の上方に持っていき、巻回し部２８の端にある接続部３０ａ、３０ｂで巻回し部２８の端同士を取り付ける。
【００３０】
上記（１）〜（３）の手順によって四足動物１２に動物用衣服１０を着用させることができる。
【００３１】
また、動物用衣服１０を脱がせる手順は、（４）接続部３０ａ、３０ｂを外し、胸部身頃２０を胸部１８から脱落させる。
【００３２】
（５）胸部身頃２０を後肢４０の間から四足動物１２の後方に持っていき、背部身頃１６を背部１４から取り外すと、自然に穴３４から尾３２が抜ける。
【００３３】
上記（４）〜（５）の手順によって四足動物１２から動物用衣服１０を脱がせることができる。
【００３４】
以上のように、本発明は四足動物１２の背部１４に背部身頃１６を置いた後、胸部身頃２０を着せるため、四足動物１２が動いても背部身頃１６が四足動物１２の背部１４に置かれたままになる。四足動物１２の体形に合わせて容易に動物用衣服１０を四足動物１２に着せることができる。前肢４２と後肢４０に動物用衣服１０を通す必要は無く、動物用衣服１０を着せやすくなっている。ワイヤー２６によって背部身頃１６の形状が維持しやすく、四足動物１２の背部１４に背部身頃１６を置きやすくなっている。四足動物１２に形状に合わせた立体的形状になった動物用衣服１０であるため、四足動物１２は動物用衣服１０を圧迫感が少なく、快適な衣服になっている。
【００３５】
本発明の実施形態を説明したが、本発明は上記の実施形態に限定されない。たとえば、接続部３０ａ、３０ｂは巻回し部２８の端部同士を固定するものに限定されない。巻回し部２８の長さを短くし、巻回し部２８の端部と背部身頃１６とを固定する接続部であっても良い。背部身頃１６における巻回し部２８の端部が配置される位置に接続部を設ける。また、巻回し部２８の端にも接続部を設ける。巻回し部２８の接続部と背部身頃１６の接続部とが固定される。
【００３６】
巻回し部２８は胸部身頃２０と一体となった平面状の布に限定されず、紐状になっていても良い。紐状になった巻回し部２８を四足動物１２の背部１４に巻回し、その端部を結ぶ。
【００３７】
少なくとも背部身頃１６に他の生地を取り付けるための取り付け部を備えても良い。背部身頃１６の上から他の生地を取り付けることで、外観を異ならせることも可能である。取り付け部は面ファスナーやボタンなどであり、生地にもそれに対応する面ファスナーやボタンを備える。取り付け部の位置は、背部身頃１６の端部などである。
【００３８】
背部身頃１６に他の生地を取り付ける以外に、ボタンやリボンなどの装飾品を取り付けても良い。
【００３９】
その他、本発明は、その主旨を逸脱しない範囲で当業者の知識に基づき種々の改良、修正、変更を加えた態様で実施できるものである。
【符号の説明】
【００４０】
１０：動物用衣服
１２：四足動物
１４：背部
１６：背部身頃
１７ａ、１７ｂ、１７ｃ：背部身頃用の布
１８：胸部
２０：胸部身頃
２１ａ、２１ｂ：胸部身頃用の布
２１ｃ：胸部身頃用の布の縫製等される端
２２：臀部
２４：尻当て部
２５：尻当て部用の布
２６：ワイヤー
２８：巻回し部
３０ａ、３０ｂ：接続部
３２：尾
３４：穴
３６：当て布
３８：頸
４０：後肢
４２：前肢
【図１】
0006797391.tif 000002
【図２】
0006797391.tif 000003
【図３】
0006797391.tif 000004
【図４】
0006797391.tif 000005
【図５】
0006797391.tif 000006